(57)【要約】【課題】  釘を必要とすることなく、再使用可能な水糸張り具の提供。【解決手段】  地面に打ち込まれる杭Ｐに着脱可能に取り付けられる支持具３と、支持具３に設けられ、水糸４１の一端部が取り付けられる取付具５とを備える。支持具３は杭Ｐに上下動可能に設けられる。取付具５は、長方形状の板材とされ、任意の角度で支持具３に固定することができる。取付具５の長辺部および短辺部には、水糸４１が掛け回される五角形状の切欠き３３，３５が複数形成されている。【選択図】      図３
0003153228.tif 000002
【実用新案登録請求の範囲】
【請求項１】
杭に着脱可能に取り付けられ、水糸の一端部が取り付けられる複数の糸掛け部が形成された取付具を備える
ことを特徴とする水糸張り具。
【請求項２】
前記杭には、支持具が高さ位置を変更可能に取り付けられ、この支持具に前記取付具が取付角度を変更可能に取り付けられる
ことを特徴とする請求項１に記載の水糸張り具。
【請求項３】
前記取付具は、矩形板状とされ、
その少なくとも一方の長辺部には、前記糸掛け部が等間隔に離隔して形成されている
ことを特徴とする請求項１または請求項２に記載の水糸張り具。
【請求項４】
前記支持具には、ネジ穴が形成されており、
前記取付具の穴を介してネジが前記支持具のネジ穴にねじ込まれることで、前記支持具に前記取付具が固定される
ことを特徴とする請求項２または請求項３に記載の水糸張り具。
【請求項５】
前記支持具にネジ棒が突出して設けられており、
このネジ棒が前記取付具の穴に通されてナットがねじ込まれることで前記支持具に前記取付具が固定される
ことを特徴とする請求項２または請求項３に記載の水糸張り具。
【請求項６】
前記取付具には、長手方向に沿って長穴が形成されており、その長穴に前記ネジまたは前記ネジ棒が通されて前記支持具に固定される
ことを特徴とする請求項４または請求項５に記載の水糸張り具。
【考案の詳細な説明】
【技術分野】
【０００１】
本考案は、建築現場や土木工事などで使用される遣り方に関するものである。
【背景技術】
【０００２】
従来、たとえば、家を建てる際、基礎を水平に成形するために、遣り方を設けて、水糸を張る作業が行われている。
具体的には、多数の木製の杭を敷地の外周に打ち込み、各杭を架け渡すように木製の板（水貫）を設ける。そして、この板に釘を中途まで打ちつけて、この釘に水糸の端部を取り付けている。
【考案の概要】
【考案が解決しようとする課題】
【０００３】
しかしながら、従来、遣り方には、木製の板や釘が多数必要となり、職人が多数の釘を持ち歩く必要があった。また、一度使用した木製の板や釘は再使用することができず、捨ててしまっていた。
【０００４】
本考案は上記事情に鑑みてなされたものであり、その主たる目的は、釘を必要とすることなく、再使用可能な水糸張り具を提供することにある。
【課題を解決するための手段】
【０００５】
本考案は、前記課題を解決するためになされたものであり、請求項１に記載の考案は、杭に着脱可能に取り付けられ、水糸の一端部が取り付けられる複数の糸掛け部が形成された取付具を備えることを特徴とする水糸張り具である。
【０００６】
請求項２に記載の考案は、前記杭には、支持具が高さ位置を変更可能に取り付けられ、この支持具に前記取付具が取付角度を変更可能に取り付けられることを特徴とする請求項１に記載の水糸張り具である。
【０００７】
請求項３に記載の考案は、前記取付具は、矩形板状とされ、その少なくとも一方の長辺部には、前記糸掛け部が等間隔に離隔して形成されていることを特徴とする請求項１または請求項２に記載の水糸張り具である。
【０００８】
請求項４に記載の考案は、前記支持具には、ネジ穴が形成されており、前記取付具の穴を介してネジ（ボルトを含む）が前記支持具のネジ穴にねじ込まれることで、前記支持具に前記取付具が固定されることを特徴とする請求項２または請求項３に記載の水糸張り具である。
【０００９】
請求項５に記載の考案は、前記支持具にネジ棒が突出して設けられており、このネジ棒が前記取付具の穴に通されてナットがねじ込まれることで前記支持具に前記取付具が固定されることを特徴とする請求項２または請求項３に記載の水糸張り具である。
【００１０】
さらに、請求項６に記載の考案は、前記取付具には、長手方向に沿って長穴が形成されており、その長穴に前記ネジまたは前記ネジ棒が通されて前記支持具に固定されることを特徴とする請求項４または請求項５に記載の水糸張り具である。
【考案の効果】
【００１１】
本考案の水糸張り具によれば、釘を使用することなく水糸を張ることができ、再使用できる。
【図面の簡単な説明】
【００１２】
【図１】本考案の水糸張り具の一実施例を示す分解斜視図である。
【図２】図１の水糸張り具の使用状態を示す斜視図である。
【図３】図２における水糸張り具の一つを示す斜視図である。
【図４】図３の一部断面図である。
【図５】図１の水糸張り具の使用状態の他の例を示す斜視図である。
【図６】図３の変形例を示す図である。
【図７】図３の他の変形例を示す図である。
【考案を実施するための形態】
【００１３】
以下、本考案の水糸張り具の一実施例について図面に基づいて具体的に説明する。
図１は、本考案の水糸張り具の一実施例を示す分解斜視図である。また、図２は、本実施例の水糸張り具の使用状態を示す斜視図であり、図３は、図２における水糸張り具の一つを示す斜視図である。さらに、図４は、図３の一部断面図である。
【００１４】
本実施例の水糸張り具１は、地面に打ち込まれる杭Ｐに着脱可能に取り付けられる支持具３と、この支持具３に設けられ、水糸の一端部が取り付けられる取付具５とを主要部に備える。
【００１５】
支持具３は、杭Ｐが通される杭挿通部７と、この杭挿通部７に固定される略矩形状のブロック部９とを有する。杭挿通部７は、平面視略Ｃ字形の筒体とされる。具体的には、杭挿通部７は、上下方向に開口する略短円筒材の周壁の一部が軸方向に切り欠かれた平面視略Ｃ字形とされると共に、その開放両端部から径方向外側へ延出して矩形板状の係合片１１，１３がそれぞれ形成されている。この一対の係合片１１，１３のうち、一方の係合片１１には厚さ方向に貫通して丸穴１１ａが形成されている。また、他方の係合片１３には、一方の係合片１１の丸穴１１ａと同軸線上にネジ穴１３ａが形成されている。
【００１６】
そして、第一ボルト１５が、一方の係合片１１の丸穴１１ａから通されて、他方の係合片１３のネジ穴１３ａにねじ込まれることで係合片１１，１３同士が近接し、ひいては杭挿通部７が若干縮径する。第一ボルト１５には、ノブボルト、グリップボルトまたは蝶ボルトなどの操作ボルトが好適に使用され、図示例ではノブボルトが使用されている。
【００１７】
ブロック部９は、杭挿通部７の周方向中央部の外周面に固定されている。ブロック部９は、その先端面９ａが杭挿通部７の外周面に対応した円弧面に形成されていると共に、上下方向中央部が幅方向に沿って略半円形状に溝状に切り欠かれて溝部９ｂが形成されている。ブロック部９は、その先端面９ａが杭挿通部７の周方向中央部に当接されて、溶接されて固定されている。また、ブロック部９には、その基端面の中央部から先端側へ向けてネジ穴９ｃが形成されており、ネジ穴９ｃは溝部９ｂに開口している。
【００１８】
取付具５は、長方形状の板片とされ、本実施例では、金属片とされる。取付具５には、丸穴および／または長穴が適宜の間隔で複数形成されている。図示例では、取付具５には、長手方向中央部に厚さ方向に貫通して丸穴２１が形成されている。
また、取付具５には、図１に示す状態において、長手方向中央部の丸穴２１より左側に、長手方向に長い長穴２３が形成されており、この長穴２３の左側に丸穴２５が形成されている。さらに、この丸穴２５の左側に長手方向に長い長穴２７が形成されている。これにより、本実施例では、取付具５の長手方向中央部の丸穴２１より右側には、穴が形成されていない領域が残される。
【００１９】
取付具５は、これらのいずれかの穴２１，２３，２５，２７を介して、第二ボルト３１が、ブロック部９に形成されたネジ穴９ｃにねじ込まれることで、支持具３に取り付けられる。第二ボルト３１には、ノブボルト、グリップボルトまたは蝶ボルトなどの操作ボルトが好適に使用され、図示例ではノブボルトが使用されている。
【００２０】
また、取付具５は、その丸穴２１，２５または長穴２３，２７に第二ボルト３１が通されることで、ボルトまわりに回転可能である。ただし、支持具３に第二ボルト３１を締め付けることで、取付具５の回転は規制される。
さらに、取付具５には、その長手方向に沿って複数の丸穴２１，２５または長穴２３，２７が形成されているので、そのいずれの穴２１，２３，２５，２７に第二ボルト３１を通すかにより支持具３に対する取付具５の取付位置を変更することができる。
その際、長穴２３，２７の場合には、長穴２３，２７に沿って第二ボルト３１を移動させることで支持具３に対する取付具５の位置を任意に調整することができる。そのため、取付具５の短辺部（短手方向に沿う辺）５ａ，５ｂを容易に壁面に当接させたりすることができる。
【００２１】
図１において、取付具５の長辺部（長手方向に沿う辺）５ｃ，５ｄの内、一方の長辺部５ｃには、長手方向に等間隔に離間して糸掛け部３３が複数形成されている。この糸掛け部３３は、切欠きまたは切込みにより形成されている。この切欠きまたは切込みは、その形状を特に問わないが、図示例では小さな五角形状に形成されている。
具体的には、図１において取付具５の上端辺５ｃへ開口して略矩形の切欠きが形成され、その切欠きの下端部は略Ｖ字状に形成されており、これにより、切欠き３３は全体として五角形状に形成されている。
従って、切欠き３３は、取付具５の長辺部５ｃが水平に配された状態において、取付具５の長手方向に離隔して垂直下方へ延出する一対の縦辺と、各縦辺の下端部から下方へ行くに従って取付具５の長手方向内側へ傾斜する傾斜辺とを備えることになる。
【００２２】
本実施例では、五角形状の切欠き３３の上部の開口幅ａは約２ｍｍとされ、深さｂは約２ｍｍとされている。また、隣接する切欠き３３の底部間の間隔（ピッチ）ｃは約１０ｍｍとされる。
【００２３】
また、好ましくは、取付具５の各短辺部５ａ，５ｂにも１または複数の糸掛け部３５が形成される。図示例では、各短辺部５ａ，５ｂに、短手方向（図１において上下方向）に離間して、２つの五角形状の切欠き３５が形成されている。
【００２４】
このような構成の本実施例の水糸張り具１は、地面に打ち込まれる杭Ｐに取り付けられて使用される。
具体的には、地面に打ち込まれた杭Ｐに、支持具３の杭挿通部７を通した状態で、第一ボルト１５を一方の係合片１１から他方の係合片１３にねじ込むことで杭Ｐに支持具３が固定される。本実施例では、第一ボルト１５をねじ込んで締め付けるまでは、支持具３が杭Ｐに対して上下に移動可能であるので、レベルなどの機器により取付具５の高さを確認して、杭Ｐに支持具３を固定すればよい。
そして、水糸４１の一端部を切欠き３３を通るように取付具５に掛け回して取り付ければよい。たとえば、図２に示すように、敷地の角付近に杭Ｐをそれぞれ打ち込み、この各杭Ｐに本実施例の水糸張り具１を取り付けて、取付具５，５同士を架け渡すように水糸４１を張ればよい。なお、杭Ｐは、各種の杭を使用することが可能であるが、金属製の杭を使用するのが好ましい。
【００２５】
また、本実施例では、図５に示すように、取付具５を図１や図３に示す状態から上下を逆にしておき、水糸４１の一端部を取付具５の切欠き３５を通るように短辺部５ａ，５ｂに掛け回して、取付具５の長手方向に沿って水糸４１を張ることも可能である。さらに、水糸４１の一端部を輪っか状にしてどちらか一方の短辺部５ａ，５ｂの切欠き３５に引っ掛けて、取付具５の他方の長辺部５ｄに水糸４１を載置して、または取付具５の側面に当接または近接して取付具５の長手方向に沿って水糸４１を張ることも可能である。このように、取付具５への水糸４１の一端部の取付け方は任意とされる。
本実施例では、取付具５の切欠き３３，３５が五角形状とされることで、たとえば、水糸４１の一端部を輪っか状にして切欠き３５に引っ掛けて、取付具５の長手方向に沿って水糸４１を延出させた場合でも、水糸４１が切欠き３５から抜けだすおそれがない。
【００２６】
本実施例の水糸張り具１は、釘を使用することなく、水糸を張ることができ、手間がかからない。また、本実施例の水糸張り具１は、再使用することができ、コストの低減を図ることができると共に、環境にやさしい。また、本実施例では、取付具５の略半分に穴が形成されていない。つまり、図１において長手方向中央部の丸穴２１より右側には、穴が形成されていないことで、この箇所にペンなどで記入することができる。
さらに、本実施例では、支持具３に対する取付具５の取付角度を任意に変更可能であるので、各現場に応じた角度で、支持具３に取付具５を固定することができる。この際、例えば、取付具５を水平に配したい場合には、取付具５に水準器を取り付けて取付具５を水平にした状態で、支持具３に固定すればよい。
【００２７】
次に、本考案の水糸張り具の変形例について説明する。なお、本変形例の水糸張り具は、基本的には上記実施例と同様の構成であるので、以下においては、異なる部分を中心に説明し、同一の箇所には同一の符号を付して説明する。
【００２８】
上記実施例では、支持具３のブロック部９にネジ穴９ｃを形成し、取付具５を介して第二ボルト３１をブロック部９にねじ込む構成としたが、本変形例では、ブロック部９にネジ棒を予め固定しておき、このネジ棒にナットを締めつけて支持具３に取付具５が固定される。
具体的には、図６に示すように、ブロック部９の基端面から基端側へ突出するようにネジ棒５１の一端部をブロック部９の中央部に固定して設ける。そして、このネジ棒５１の他端部を取付具５のいずれかの穴２１，２３，２５，２７に通した状態で、ネジ棒５１にナット５３をねじ込んで取付具５が支持具３に固定される。このナット５３には、各種のナットを使用可能であるが、ノブナット、グリップナットまたは蝶ナットなどの操作部を有するナットが好適に使用され、図示例では、ノブナットが使用されている。
【００２９】
また、上記変形例では、支持具３のブロック部９にネジ棒を設ける構成としたが、杭挿通部７にネジ棒を固定するようにしてもよい。具体的には、図７に示すように、杭挿通部７にブロック部を設けずに、杭挿通部７の周方向中央部にボルト６１の頭部６３を溶接して固定し、支持具３にボルト６１の軸部（ネジ棒）６５が突出して設けられるようにしてもよい。この場合、図６に示す変形例と同様に、ネジ棒６５を取付具５のいずれかの穴２１，２３，２５，２７に通した状態で、ネジ棒６５にナット５３をねじ込んで支持具３に取付具５が固定される。このナット５３には、各種のナットを使用可能であるが、ノブナット、グリップナットまたは蝶ナットなどの操作部を有するナットが好適に使用され、図示例では、ノブナットが使用されている。
【００３０】
本考案の水糸張り具は、上記実施例の構成に限らず、適宜変更可能である。
たとえば、取付具５に設けられる切欠き３３，３５の形状、形成位置、個数などは適宜変更可能である。また、取付具５に形成される穴の数や位置は適宜変更可能である。
さらに、取付具５は任意の高さ位置で杭Ｐに固定できればよく、支持具３の構成は適宜変更可能である。また、上記実施例では、取付具５は、金属板とされたが、合成樹脂製の板材としてもよく、支持具３を合成樹脂により形成してもよい。
【００３１】
また、本考案の水糸張り具は、家を建築する際の基礎を形成する際に使用されるほか、道路工事や、Ｕ字溝を設置する工事など各種の現場で使用することが可能である。
【符号の説明】
【００３２】
１  水糸張り具
３  支持具
５  取付具
３１  第二ボルト
３３  糸掛け部
【図１】
0003153228.tif 000003
【図２】
0003153228.tif 000004
【図３】
0003153228.tif 000005
【図４】
0003153228.tif 000006
【図５】
0003153228.tif 000007
【図６】
0003153228.tif 000008
【図７】
0003153228.tif 000009